(57)【要約】      （修正有）【課題】構造が簡単で操作・携帯が容易な手ひらタイプ筋肉物理治療器を提供する。【解決手段】グリップ内槽１，電流パルス・マザーボード９，負電極の導電性シート１４，正電極の導電性シート１５，電流スイッチングレギュレータ１２，グリップ・カバー２とネジ２１、２２を有し、グリップ内槽１が、その内部に電池槽４を設置し、負電極の導電性シート１４が、正極導線８を介して電流パルス・マザーボード９と接続し、その上に正電極棒１６、１７を設置し、正電極の導電性シート１５が、負極導線７を介して電流パルス・マザーボード９と接続し、且つその上に負電極棒１８、１９を設置し、電流スイッチングレギュレータ１２が、負極導線７と負電極の導電性シート１４との間に設置され、グリップ・カバー２は、その外形がグリップ内槽１に合致し、互いにグリップ・カバー係合孔２０を利用して係合でき、該グリップ内槽１が、LED表示ランプ１３を有する。【選択図】図２
0003207238.tif 000002
【実用新案登録請求の範囲】
【請求項１】
手ひらタイプ筋肉物理治療器が、一つのグリップ内槽，一つの正電極の導電性シート，一つの電流スイッチングレギュレータ，一つのグリップ・カバーと一つのネジを含んでなり、該グリップ内槽が、その内部に一つの電池槽，一つの電流パルス・マザーボードと一つの負電極の導電性シートを設置してなり、該電池槽が一つのエネルギー・ソースを設置でき、該電流パルス・マザーボードが、一つの負極導線と一つの正極導線を介して該エネルギー・ソースのエネルギーを該電流パルス・マザーボードへ伝導し、該負電極の導電性シートが、一つの正極導線を介して該電流パルス・マザーボードと接続し、且つその上に一つの正電極棒を設置し、該正電極の導電性シートが、一つの負極導線を介して該電流パルス・マザーボードと接続し、且つその上に一つの負電極棒を設置し、該電流スイッチングレギュレータが、該負極導線と該負電極の導電性シートとの間に設置され、該グリップ・カバーは、その外形が該グリップ内槽に合致し、互いにグリップ・カバー係合孔を利用して係合でき、該ネジが、該グリップ・カバーと該グリップ内槽をしっかりと錠止し、その中でも、該グリップ内槽が、該正極導線と該負電極の導電性シートとの間に設置される一つのLED表示ランプを有することを特徴とする、手ひらタイプ筋肉物理治療器。
【請求項２】
該正電極棒および負電極棒が、L型であることを特徴とする、請求項1に記載の手ひらタイプ筋肉物理治療器。
【請求項３】
該正電極棒が、該グリップ・カバーの第1の方位の延長線方向の一つの第1の正極接続棒および該グリップ・カバーの第2の方位の延長線方向の一つの第2の正極接続棒を有し、該負電極棒が、該グリップ・カバーの第2の方位の延長線方向の一つの第1の負極接続棒および該グリップ・カバーの第2の方位の延長線方向の一つの第2の負極接続棒を有することを特徴とする、請求項2に記載の手ひらタイプ筋肉物理治療器。
【請求項４】
該第1の正極接続棒の長さが、第1の負極接続棒の長さよりも短くなることを特徴とする、請求項3に記載の手ひらタイプ筋肉物理治療器。
【請求項５】
該第2の正極接続棒の長さが、第2の負極接続棒の長さよりも短くなることを特徴とする、請求項3に記載の手ひらタイプ筋肉物理治療器。
【請求項６】
該正電極棒の数量が2個で、該負電極棒の数量が2個であることを特徴とする、請求項1に記載の手ひらタイプ筋肉物理治療器。
【請求項７】
該正電極棒が互いに並列して隣接し、且つ該負電極棒が該正電極棒の両側に並列することを特徴とする、請求項6に記載の手ひらタイプ筋肉物理治療器。
【請求項８】
ひいては該負電極棒の一側に設けられる一つの親指型の負極棒を含んでなり、且つ該一側は、該負電極棒と該正電極棒が相対的に隣接する他側に位置することを特徴とする、請求項6に記載の手ひらタイプ筋肉物理治療器。
【請求項９】
該電流スイッチングレギュレータが、周波数変調の回しノブを回すことにより電流刺激の強度を調整できることを特徴とする、請求項1に記載の手ひらタイプ筋肉物理治療器。
【考案の詳細な説明】
【技術分野】
【０００１】
【背景技術】
【０００２】
【考案の概要】
【考案が解決しようとする課題】
【０００３】
使用上において既存の電気治療器が面する数多くの問題と欠点に鑑み、創作者が特に研究・改善の実行に着目し、その従事する関連の業界の長年の経験および技術に基づき、ひいては本考案の手ひらタイプ筋肉物理治療器を研究・創作し、本考案の提供する手ひらタイプ筋肉物理治療器が、電源線または電池，定電圧電流パルス回路基板，電極棒，手持ちのグリップなどの素子を介し、手ひらの人体工学構造に合わせて人の親指にて電流スイッチングレギュレータを摺動することにより、パルスの段数を起動でき、安全に必要なパルスを自ら調整し、依然として正・負の2極電極棒により人体に触れて圧力を加えて往復に推進し、更に親指型ロッドにより比較的深い脈絡を指圧し、即ち人体の筋肉に対して物理性治療を行い、加えて手指の一般的な構造のように、電流パルスを組み合わせ、手ひらに合わせて人間の習慣的な組合せ設計を結合し、特に慣用の製品，電流パルス機器，繰り返し挿入または伝送線路の接続により招かれた制限を解決でき、本考案は、同時に電気治療および指圧の二重効果を兼備でき、これにより、例えば一般的に自分の手ひらのように、任意に筋肉の押し，スクラッチ，緩みなどの物理性治療を施行でき、極めて優れる手ひらの実用利便性の構造特徴を達成する。
【課題を解決するための手段】
【０００４】
本考案の目的は、構造が簡単で且つ操作・携帯が容易である電気治療指圧装置を提供することにある。
本考案の手ひらタイプ筋肉物理治療器が、一つのグリップ内槽，一つの電流パルス・マザーボード，一つの負電極の導電性シート，一つの正電極の導電性シート，一つの電流スイッチングレギュレータ，一つのグリップ・カバーと一つのネジを含み、該グリップ内槽が、その内部に一つの電池槽を設置することにより一つのエネルギー・ソースを設置でき、該電流パルス・マザーボードが、一つの負極導線と一つの正極導線を介して該エネルギー・ソースのエネルギーを該電流パルス・マザーボードへ伝導し、該負電極の導電性シートが、一つの正極導線を介して該電流パルス・マザーボードと接続し、且つその上に一つの正電極棒を設置し、該正電極の導電性シートが、一つの負極導線を介して該電流パルス・マザーボードと接続し、且つその上に一つの負電極棒を設置し、該電流スイッチングレギュレータが、該負極導線と該負電極の導電性シートとの間に設置され、該グリップ・カバーは、その外形が該グリップ内槽に合致し、互いにグリップ・カバー係合孔を利用して係合でき、該ネジが、該グリップ・カバーと該グリップ内槽をしっかりと錠止し、その中でも、該グリップ内槽が、該正極導線と該負電極の導電性シートとの間に設置される一つのLED表示ランプを有する。
本考案の他の目的は、特殊な電極棒形態設計を介してより操作しやすくなる効果を有することにあり、前述の掲示する目的を達成するために、本考案の言及する正電極棒および負電極棒がL型で、その形態が手指の構造と同じで、ユーザーが操作する時に、より自分の手のように一般的に順調な思い通りである。
本考案の更なる他の目的は、特殊な電極棒形態設計を介してより短絡(ショート)を防止する効果を有することにあり、前述の掲示する目的を達成するために、本考案の言及する正電極棒が、グリップ・カバーの第1の方位の延長線方向の一つの第1の正極接続棒およびグリップ・カバーの第2の方位の延長線方向の一つの第2の正極接続棒を有し、負電極棒が、グリップ・カバーの第2の方位の延長線方向の一つの第1の負極接続棒およびグリップ・カバーの第2の方位の延長線方向の一つの第2の負極接続棒を有する。該第1の正極接続棒の長さが、第1の負極接続棒の長さよりも短くなり、或いは第2の正極接続棒の長さが、第2の負極接続棒の長さよりも短くなる。
本考案の他に更なる他の目的は、特殊な電極棒の排列設置を介してより接?の低減効果を有することにあり、正極性の正電極棒が互いに並列し、更に負極性の負電極棒が正電極棒の外側に設置されることにより、マザーボードと正・負電極の導電性シートとの接線を低減し且つ接線を簡略化する効果を達成し、前述の掲示する目的を達成するために、本考案の言及する正電極棒および負電極棒の数量が、何れも2個で、また該2個の正電極棒が互いに並列して隣接し、且つ該2個の負電極棒がそれぞれ該2個の正電極棒の両側に並列し、更に本考案が、ひいてはその中の或る負電極棒の一側に設けられる一つの親指型の負極棒を含み、且つ該一側は、該負電極棒と該正電極棒が相対的に隣接する他側に位置する。
【図面の簡単な説明】
【０００５】
【図１】本考案のより好ましい実施例の全体の構造模式図である。
【図２】本考案のより好ましい実施例の構造関係の模式図である。
【考案を実施するための形態】
【０００６】
本考案の構造・組成，技術手段および効果達成方面について、図面に対応して更に例を挙げ、ひいては下記に具体的に説明するが、先ず図1の構造分解模式図および図2の構造模式図を参照する。本考案のより好ましい実施例を説明し、図面に示すように、その構造設計上では、ホストコンピューター（100）が、主として手握りの組立式グリップ・カバー（2）の組合せに相応しいグリップを一つ設け、該グリップの外部が数多くの凹槽を有することにより、手指をこれらの凹槽中に放置でき、手により該グリップを握る時に、より快適かつ強固となってもよいが、該グリップ・カバー（2）の内にグリップ内槽（1）があり、該グリップ内槽（1）の下部に電池槽（4）があることにより、電池（6）または外部増設の電源を設置・放置してホストコンピューター（100）の全体に必要な電源を提供でき、且つ一つの電池カバー（3）を利用して電池槽（4）を閉鎖でき、グリップ内槽（1）の上部に5つの電極棒の2タイプの電極棒を挟着てなり、一つが正電極棒（16）、（17）で、もう一つが負電極棒（18）、（19）及び親指型の負極棒（23）で、該正・負電極棒が、それぞれ正電極の導電性シート（15）と負電極の導電性シート（14）に接続され、且つ正極導線（10）と負極導線により互いに電流パルス・マザーボード（9）と接続され、また該電流パルス・マザーボード（9）のエネルギーが負極導線（7）と正極導線（8）により伝導され、その中でも、負極導線（11）と負電極の導電性シートとの間に、ひいては一つの電流スイッチングレギュレータ（12）が設置され、ユーザーが需要に基づいて周波数変調の回しノブ（24）を回すことにより電流刺激の強度を調整でき、その他にも該ホストコンピューター（100）が開放状態にあるかどうかを提示するために、正極導線（10）と負電極の導電性シート（14）との間に、一つのLED表示ランプ（13）が設置され、該ホストコンピューターが開放状態である時に、正極導線（10）と負電極の導電性シート（14）が、LED表示ランプ（13）に電流を給電することにより発光でき、該グリップ内槽（1）が、グリップ・カバー係合孔（20）を介してグリップ・カバー（2）を互いに係合でき、更にネジ（21）、（22）にて錠止することにより、グリップ内槽（1）とグリップ・カバー（2）をしっかりと錠止させるが、上記を総合し、これにより、本考案の手ひらタイプ筋肉物理治療器の基本機能メカニズムを構成する。
前述の構造を経由して組成される本考案の手ひらタイプ筋肉物理治療器は、該電流パルス・マザーボード（9）が電池（6）からエネルギー・ソースを取得でき、且つ該電流パルス・マザーボード（9）の内に、制御回路，発振駆動回路と昇圧回路が内蔵され、エネルギーを中間周波または低周波に転換し、且つ正電極棒（16）、（17）、負電極棒（18）、（19）及び親指型の負極棒（23）により出力し、正電極棒（16）、（17）、負電極棒（18）、（19）及び親指型の負極棒（23）を介して皮膚に触れてループを構成して電流を生成することにより、エネルギーを人体に作用するように生成し、人体に電気治療の効果を及ぼし、且つ正電極棒（16）、（17）、負電極棒（18）、（19）及び親指型の負極棒（23）により擬人化の手ひら形態を製造し、手ひらの指圧と同じ効果を有し、従って本考案の言及する手ひらタイプ筋肉物理治療器が、電気治療および指圧の二重効果を兼備する。
その他にも、本考案の手ひらタイプ筋肉物理治療器が、短絡防止の機能を更に有し、正電極棒（16）、（17）及び負電極棒（18）、（19）がL型であってもよく、これらの正・負電極棒がグリップ・カバーの第1の方位の延長線方向（L1）の第1の接続棒（161）、（171）、（181）、（191）及びグリップ・カバーの第2の方位の延長線方向（L2）の第2の接続棒（162）、（172）、（182）、（192）を有し、その中でも、グリップ・カバーの第2の方位の延長線方向（L2）の第2の正極接続棒（162）、（172）の長さが、グリップ・カバーの第2の方位の延長線方向（L2）の第2の負極接続棒（182）、（192）の長さよりも短くなることにより、一つの距離差を形成することにより、ユーザーが使用した後に電源オフを忘れて机上などの箇所に序でに放置することを、避けることにより、正電極棒（16）、（17）及び負電極棒（18）、（19）が机面に触れることにより、ループを一つ形成して短絡の現象を招くが、本考案は、如何にも正電極棒（16）、（17）及び負電極棒（18）、（19）により形成された距離差があるので、これらの正・負電極棒が同時に一つの導電性物体に触れて短絡することがなく、例えば前述の同じ距離差の概念の通りで、グリップ・カバーの第1の方位の延長線方向（L1）の第1の正極接続棒（161）、（171）の長さが、グリップ・カバーの第1の方位の延長線方向（L1）の第1の負極接続棒（181）、（191）の長さよりも短くなることにより、同様に一つの距離差を形成できる。
実施上において、本考案は、任意に正電極棒（16）、（17）、負電極棒（18）、（19）及び親指型の負極棒（23）により、電気刺激を実行しようとする部位に電気治療を実行でき、且つ随時に部位を変更でき、更に電流スイッチングレギュレータ（12）により電気刺激の強さを制御でき、その他にも個人の需要に根拠して皮膚にプッシュする力強さを制御でき、指圧の機能を生成し、別途に接線し或いは電極シートを固定する必要がなく、即ち以上の説明を経由し、本考案は、手ひらタイプ筋肉物理治療器に対して作成された構造設計で、電流パルス・マザーボード（9）をグリップの内部に直接に統合し、電気回路を介してエネルギー形態を変換し、電極棒により波形を出力し、直接に人体に作用でき、その全体的な設計が相当に精巧で且つ手持ちの使用に相応しく、これにより、特に随身携帯および使用の利便性を及ぼしてもよく、極めて優れる実用価値を達成できる。
【符号の説明】
【０００７】
1  グリップ内槽  
2  グリップ・カバー
3  電池カバー
4  電池槽
5  電気シート
6  電池
7  負極導線  
8  正極導線
9  電流パルス・マザーボード
10  正極導線  
11  負極導線
12  電流スイッチングレギュレータ
13  LED表示ランプ
14  負電極の導電性シート
15  正電極の導電性シート
16  正電極棒
17  正電極棒
18  負電極棒
19  負電極棒
20  グリップ・カバー係合孔
21  ネジ
22  ネジ
23  親指型の負極棒
24  周波数変調の回しノブ
100  ホストコンピューター
161  第1の正極接続棒
162  第2の正極接続棒
171  第1の正極接続棒
172  第2の正極接続棒
181  第1の負極接続棒
182  第2の負極接続棒
191  第1の負極接続棒
192  第2の負極接続棒
【図１】
0003207238.tif 000003
【図２】
0003207238.tif 000004